(57)【特許請求の範囲】
【請求項１】
それぞれ放音部を備えた一対のスピーカ体が所定の長さの接続線を介して接続され、且つスピーカ体は対向面どうしを対向させた状態で取付手段によって着脱自在に組付けられるよう構成されたスピーカ装置であって、
前記スピーカ体どうしを組付けた際に接続線を収容する収容凹部が、一対のスピーカ体のうちの少なくとも一方のスピーカ体の対向面に形成されており、接続線を収容凹部に収容してスピーカ体どうしを組付けた状態において、収容凹部以外のスピーカ体の対向面の一部または全部は、接続線がスピーカ装置の外方へ露出しないよう互いに接触可能に構成されていることを特徴とするスピーカ装置。
【請求項２】
少なくとも一方のスピーカ体の内部に、接続線を該スピーカ体内に巻取る巻取手段が設けられ、収容凹部は、接続線を巻取った状態でスピーカ体どうしを組付けた際に接続線を結ぶ線上に、溝状に設けられていることを特徴とする請求項１記載のスピーカ装置。
【請求項３】
巻取手段は、接続線をスピーカ体内に弾性力によって巻取る方向に付勢するよう構成されていることを特徴とする請求項２記載のスピーカ装置。
【請求項４】
一対のスピーカ体は、それぞれその外筐体が高さ方向を扁平とした台状部と、該台状部の片側から立上がる柱状部とを有してほぼ同一幅かつ同一高さに形成され、前記一対のスピーカ体は、柱状部の背面どうしを前後で対向させるとともに柱状部の上面と台状部の上面とを上下で対向させるようにすることでそれぞれ相対的に天地逆さにして、取付手段によって着脱自在に組付けられるよう構成されていることを特徴とする請求項１ないし請求項３の何れかに記載のスピーカ装置。
【請求項５】
収容凹部は、一方のスピーカ体の台状部の上面および柱状部の背面に連続して形成されていることを特徴とする請求項４記載のスピーカ装置。
【請求項６】
他方のスピーカ体の対向面から電子機器からの音声信号を入力するための入力用接続線が導出されるとともに、他方のスピーカ体の対向面に前記入力用接続線を収容するための別の収容凹部が設けられ、スピーカ体どうしを組付けた際の対向面は、前記別の収容凹部以外の領域では互いに接触可能に構成されていることを特徴とする請求項１ないし請求項５記載のスピーカ装置。
【請求項７】
スピーカ体どうしを組付けた際に入力用接続線をスピーカ装置の外方へ導出するための導出部が、別の収容凹部に連続して設けられていることを特徴とする請求項６記載のスピーカ装置。
【請求項８】
一方および他方のスピーカ体の背面の位置は、高さ方向下部、高さ方向中間部、高さ方向上部の順に前面に対する後方への突出量が少なくなるよう構成されて、スピーカ体どうしはこれらを組付ける際には上下を相対的に天地逆さにして取付手段によって組付けられるよう構成され、各スピーカ体内の前面側に放音部が内装されていることを特徴とする請求項１ないし請求項７の何れかに記載のスピーカ装置。
【発明の詳細な説明】
【技術分野】
【０００１】
本発明は、一方のスピーカ体と他方のスピーカ体とを着脱自在に構成したスピーカ装置に関する。
【背景技術】
【０００２】
従来から、一対のスピーカ体を有して一方のスピーカ体と他方のスピーカ体とを着脱自在に構成したスピーカ装置が提案されている（例えば、下記特許文献１参照）。
これらスピーカ体どうしは、コード（オーディオ信号を供給するためのコード）を介して電気的に接続されている。該コードは、スピーカ体どうしを離して使用する場合のために、所定の長さに設定されている。
また、スピーカ体どうしはそれぞれの取付面に着脱手段を有しており、該着脱手段によってスピーカ体どうしは着脱自在とされており、スピーカ体どうしの組付け状態において各取付面に、前記コードが挿通されており、取付面はそれぞれ面一の平面に形成されている。
【特許文献１】実用新案登録第３０９３４７５号公報
【発明の開示】
【発明が解決しようとする課題】
【０００３】
上記構成のスピーカ装置では、スピーカ体の取付面どうしを対向させて着脱手段によってスピーカ体どうしを組付けるようにする。各スピーカ体において、コードが導出される各取付面は面一の平面であることから、スピーカ体の取付面どうしを対向させるようにしてスピーカ体を組付けた場合において、対向した取付面の間にコードの導出を邪魔しないようにするための隙間を存在させる必要があった。
しかしながら、取付面の間に隙間を存在させるようにすると、スピーカ装置の使用のために搬送する際等に該隙間からコードが垂れ下がったり引出されたりし易くなり、コードが周囲の物品に引っ掛かる等して邪魔になることがあるといった課題がある。
【０００４】
そこで、本発明は上記課題に鑑み、コードが邪魔になる状態を防止しつつ、しかもスピーカ体どうしを組付けることのできるスピーカ装置の提供を目的とする。
【課題を解決するための手段】
【０００５】
本発明のスピーカ装置は、それぞれ放音部を備えた一対のスピーカ体が所定の長さの接続線を介して接続され、且つスピーカ体は対向面どうしを対向させた状態で取付手段によって着脱自在に組付けられるよう構成されており、前記スピーカ体どうしを組付けた際に接続線を収容する収容凹部が、一対のスピーカ体のうちの少なくとも一方のスピーカ体の対向面に形成されており、接続線を収容凹部に収容してスピーカ体どうしを組付けた状態において、収容凹部以外のスピーカ体の対向面の一部または全部は、接続線がスピーカ装置の外方へ露出しないよう互いに接触可能に構成されていることを特徴としている。
上記構成において、接続線によって接続された一対のスピーカ体どうしを、取付手段を用いて組付けた際に、対向面に設けられた収容凹部に接続線を収容するようにし、スピーカ体どうしを組付けた際の対向面が収容凹部以外領域において互いに接触可能となっていることで、収容凹部に収納した接続線がスピーカ装置の外方に飛び出たり垂れ下がったりする状態が防止される。
ここで、接続線とは、スピーカ体どうしが必要以上に離間してしまうことを防止するための接続線や、放音部どうしを電気的に接続する接続線を含む概念であり、放音部どうしを電気的に接続する接続線として、二心信号線および一心アース線からなる三心コード等のスピーカ装置にステレオ機能を付与し得るものがある。
【０００６】
本発明のスピーカ装置では、少なくとも一方のスピーカ体の内部に、接続線を該スピーカ体内に巻取る巻取手段が設けられ、収容凹部は、接続線を巻取った状態でスピーカ体どうしを組付けた際に接続線を結ぶ線上に、溝状に設けられていることを特徴としている。
上記構成において、巻取手段によって接続線をスピーカ体内に巻取り、巻取ってなおスピーカ体外に露出している接続線は、スピーカ体の対向面どうしを対向させてスピーカ体どうしを組付けることで溝状の収容凹部に直線状に収容することが可能であり、接続線がスピーカ装置の外方に飛び出たり垂れ下がったりしない。
【０００７】
本発明のスピーカ装置では、巻取手段は、接続線をスピーカ体内に弾性力によって巻取る方向に付勢するよう構成されていることを特徴としている。
上記構成において、接続線は巻取手段の弾性力によってスピーカ体内に自動的に巻取られるから、スピーカ装置の使用者は、接続線を、手指を用いて収容凹部に収容するといった作業をする手間が不要で、スピーカ体どうしを取付手段によって取付ける作業を行う際に接続線は自動的に収容凹部に収容される。
【０００８】
本発明のスピーカ装置では、一対のスピーカ体は、それぞれその外筐体が高さ方向を扁平とした台状部と、該台状部の片側から立上がる柱状部とを有してほぼ同一幅かつ同一高さに形成され、前記一対のスピーカ体は、柱状部の背面どうしを前後で対向させるとともに柱状部の上面と台状部の上面とを上下で対向させるようにすることでそれぞれ相対的に天地逆さにして、取付手段によって着脱自在に組付けられるよう構成されていることを特徴としている。
上記構成のように、一対のスピーカ体それぞれが台状部と台状部の片側から立上がる柱状部とを有しているから、スピーカ体どうしを天地逆さにして組合せることで、台状部どうしが、上下方向で対向するようになってその分だけコンパクトに組合される。
【０００９】
本発明のスピーカ装置では、収容凹部は、一方のスピーカ体の台状部の上面および柱状部の背面に連続して形成されていることを特徴としている。
上記構成によれば、接続線はスピーカ体どうしを組付けた際に、台状部の上面、柱状部の背面、および柱状部の上面に沿うようにして収容凹部に収容される。
【００１０】
本発明のスピーカ装置では、他方のスピーカ体の対向面から電子機器からの音声信号を入力するための入力用接続線が導出されるとともに、他方のスピーカ体の対向面に前記入力用接続線を収容するための別の収容凹部が設けられ、スピーカ体どうしを組付けた際の対向面は、前記別の収容凹部以外の領域では互いに接触可能に構成されていることを特徴としている。
上記構成によれば、入力用接続線を別の収容凹部に収納して、該別の収容凹部以外の領域でスピーカ体どうしの対向面を接触させるようにしてスピーカ体どうしを組付けることで、入力用接続線を邪魔にならないようにすることが可能である。
【００１１】
本発明のスピーカ装置では、スピーカ体どうしを組付けた際に入力用接続線をスピーカ装置の外方へ導出するための導出部が、別の収容凹部に連続して設けられていることを特徴としている。
上記構成によれば、入力用接続線を別の収容凹部に収納して、該別の収容凹部以外の領域でスピーカ体どうしの対向面を接触させるようにしてスピーカ体どうしを組付けることで、入力用接続線を邪魔にならないようにすることが可能であり、導出部から入力用接続線の一部を導出することで、スピーカ体どうしを組付けた状態で入力用接続線を使用することが可能である。
【００１２】
本発明のスピーカ装置では、一方および他方のスピーカ体の背面の位置は、高さ方向下部、高さ方向中間部、高さ方向上部の順に前面に対する後方への突出量が少なくなるよう構成されて、スピーカ体どうしはこれらを組付ける際には上下を相対的に天地逆さにして取付手段によって組付けられるよう構成され、各スピーカ体内の前面側に放音部が内装されていることを特徴としている。
上記構成のように、一方および他方のスピーカ体の背面の位置を、高さ方向下部、高さ方向中間部、高さ方向上部の順に前面に対する後方への突出量が少なくなるよう構成することで背面部側どうしを相対形状とし、スピーカ体どうしの上下を相対的に逆転させて対向面としての背面どうしを対向させるようにして取付手段によって組付けるようにすれば、スピーカ装置がコンパクトになり、しかもスピーカ体どうしを組付けたスピーカ装置として安定した設置が可能となり、スピーカ体内の前面側にスピーカが内装されていることで、スピーカ体どうしを組付けた状態でも、スピーカからスピーカ装置の外方に良好に放音される。
【発明の効果】
【００１３】
本発明のスピーカ装置によれば、一対のスピーカ体のうちの少なくとも一方のスピーカ体の対向面に、スピーカ体どうしを組付けた際に接続線を収容する収容凹部が設けられているから、接続線によって接続された一対のスピーカ体どうしを、取付手段を介して組付けた際に、収容凹部に接続線を収容することができ、スピーカ体どうしを組付けた際の対向面の一部または全部が収容凹部の外側において互いに接触可能となっているから、収容凹部に収納した接続線がスピーカ装置の外方に飛び出たり垂れ下がったりする状態を回避することができる。
【発明を実施するための最良の形態】
【００１４】
以下、本発明の実施形態に係るスピーカ装置を、図面に基づいて説明する。
図１はスピーカ装置を構成する一方のスピーカ体（以下「第一スピーカ体」と称す）および他方のスピーカ体（以下「第二スピーカ体」）を分離させた状態での前上方からの斜視図、図２は同じく後上方からの斜視図、図３は同じく正面図、図４は同じく背面図、図５は同じく平面図、図６は同じく底面図、図７は同じく右側面図、図８はスピーカ体どうしを組付ける途中を示す図で、第二スピーカ体については左側面図となっている。
また、図９はスピーカ体どうしを組付けた状態の前上方からの斜視図、図１０は同じく正面図、図１１は同じく右側面図、図１２は同じく左側面図、図１３は同じく平面図、図１４は同じく底面図である。
さらに、図１５は図１０のＡ−Ａ線断面図、図１６は図１０のＢ−Ｂ線断面図である。
【００１５】
これらの図に示すように、本発明の実施形態におけるスピーカ装置１は、ステレオ式であって、パーソナルコンピュータや音声再生装置等の電子機器におけるイヤホンジャックやＵＳＢ差込口（ポート）に、イヤホンコードのイヤホンプラグやＵＳＢコードのＵＳＢ差込部を差込むことで、スピーカ体の内部のスピーカ（放音部）から放音するように構成されている。
このスピーカ装置１は、一対のスピーカ体である第一スピーカ体２および第二スピーカ体３を有しており、これら第一スピーカ体２および第二スピーカ体３は、接続線として第一接続線４によって電気的且つ機械的に接続されている。
【００１６】
第一スピーカ体２および第二スピーカ体３どうしは、取付手段５を介して着脱自在に設けられており、取付手段５を外して、例えば第一スピーカ体２および第二スピーカ体３を左右方向に離間させて配置して使用したり（図１〜図８参照）、取付手段５によって第一スピーカ体２および第二スピーカ体３を天地逆に組付けて一体物として使用（図９〜図１６参照）したりすることが可能である。
【００１７】
第一接続線４として、この場合では周知の三心コードが用いられている。詳細に図示はしないが、三心コードは、二心信号線、一心アース線およびそれらを被覆する外装樹脂からなっており、第一スピーカ体２および第二スピーカ体３の第一放音部１０および第二放音部５１が第一接続線４で電気的に接続されていることで、スピーカ装置１全体としてステレオ機能が付与される。
【００１８】
第一接続線４の一方側部分は、第一スピーカ体２の背面に形成された第一導通孔６から導出され、第一接続線４の他方側部分は第二スピーカ体３の背面に形成された第二導通孔７から導出されている。
第一スピーカ体２および第二スピーカ体３は、それぞれ背面側に、対向面として組付けられる。
【００１９】
ここで、第一スピーカ体２の構成を詳述する。第一スピーカ体２は、第一筐体８と、第一筐体８内の第一放音部１０および巻取手段１１とを有して側面視Ｌ字形に形成されている。
第一筐体８は、第一前壁部材１２と第一後壁部材１３とを有して、第一前壁部材１２の後方開放部に対して第一後壁部材１３の底高さを合わせた状態でこれを嵌込むように組付けることで、第一前壁部材１２および第一後壁部材１３が一体化されている。
【００２０】
第一前壁部材１２は、平面視して後方開放のＵ字形の壁状に形成されており、所定の上下高さを有する。第一前壁部材１２の上下方向の途中の左右方向中心部に、第一放音部１０の放音面部１４を取付ける第一開口部１５が形成されている（図１５，図１６参照）。第一前壁部材１２はその裏面の適宜箇所に、後方に向けて突出するビス受片１６が、上下・左右に四箇所形成されている。
第一前壁部材１２の上下部は開放されており、上端面・下端面にはそれぞれ帯状の袴部材１９が重ねられるようにして装着されており、各袴部材１９には、上下に突出する第一支持片１７，１８が、左右方向に離間して形成されている。第一支持片１７，１８は、各袴部材１９の湾曲形状のコーナー部分に、その湾曲形状に沿うようにして形成されている。すなわち、第一支持片１７，１８は、各袴部材１９の前部から側部に亙るように湾曲して設けられている。
【００２１】
第一前壁部材１２のさらに前側には、第一装飾用覆壁２０が設けられている。この第一装飾用覆壁２０は、第一開口部１５を覆って装飾性を向上させるとともに、第一開口部１５から露出する第一放音部１０の放音面部１４を覆うようにして保護する機能を有している。
なお、第一装飾用覆壁２０は、第一前壁部材１２の前側のみならず、側部においても第一前壁部材１２をその外方で覆うよう、第一前壁部材１２に一体的に設けられている。
【００２２】
第一後壁部材１３は、巻取手段１１を装着する部分である第一下台状部２１と、第一下台状部２１の天板２２前部から上方に延長されるよう第一下台状部２１に設けられた第一柱状部２３とから一体的に形成されている。
第一下台状部２１は、前記天板２２と、両側板２４，２５と、後板２６と底板２７とを有して、全体として扁平な中抜き角柱状に形成されている。
天板２２、側板２４，２５、後板２６、および底板２７はそれぞれ平面に形成されており、側板２４，２５と後板２６との連続部分は、平面視して曲面となるよう連続されている。第一下台状部２１の前後長さＬ１は、第一前壁部材１２の前後長さＬ２の倍以上の所定長さに設定されている。
この場合、所定長さとは、後述するように、第一スピーカ体２と第二スピーカ体３とを組付けた際に、第一スピーカ体２の第一前壁部材１２の後端面１２ａと、第二スピーカ体３の第二前壁部材２８の後端面２８ａとが当接せずに隙間８４を置いて対向し、且つその隙間８４から電源操作片３０および音量ダイヤル３１が手指操作を可能とする距離である。
側板２４，２５それぞれの下部には、第一前壁部材１２の後端面１２ａと接触するように、また、隙間８４を確保するために所定の前後方向の長さを有する突片８２が側方に突出するように形成されている。
第一下台状部２１の後板２６に、前記第一導通孔６が形成されており、第一接続線４は第一導通孔６から第一スピーカ体２の外部へ導出される形態となっている。
第一導通孔６は後板２６の高さ方向途中で左右方向中心部分に配置されている。
【００２３】
第一柱状部２３は、第一下台状部２１の天板２２前部から上方に延長される（第一下台状部２１の天板２２の片側から立上がる）第一立上壁３３と、第一立上壁３３の上端部に設けられた天壁３４と、第一立上壁３３の両側部に設けられた両側壁３５，３５とを有している。
第一立上壁３３において、前記ビス受片１６に後方に対向する位置に、ビス３６を挿入するビス孔３７が形成されている。
第一前壁部材１２の後方開放部に対して第一後壁部材１３の底高さを合わせた状態で嵌込むように組付け、ビス孔３７にビス３６を挿入してビス受片１６にビス３６を螺合することで、第一前壁部材１２と第一後壁部材１３とを一体化することができる。
【００２４】
第一前壁部材１２と第一後壁部材１３とは、第一立上壁３３の背面３３ａと、第一前壁部材１２の後端面１２ａとが面一となるよう組付けられ、組付けた状態で、第一立上壁３３は第一前壁部材１２の上端面に至らない高さに設定されており、また、天壁３４はその前端面３４ａが第一前壁部材１２の裏面（後面）に当接するよう、第一立上壁３３の前方に向けて折曲して一体に形成されている。
第一前壁部材１２と第一後壁部材１３とは、第一柱状部２３の両側壁３５，３５が第一前壁部材１２の内側面に対して前後に摺動させて挟持させるようにして組付けられる。
【００２５】
第一立上壁３３は、第一後壁部材１３が第一前壁部材１２に組付けられた状態において第一前壁部材１２の上端面に至らない高さに設定されている。したがって、第一前壁部材１２と第一後壁部材１３とを一体化することで第一立上壁３３の上部の後方は開放されたままになっており、第一前壁部材１２の上部の背面部分は露出して、該背面の後部は後述の第二下台状部６１の一部が挿入される挿入部１２Ａとされている。
【００２６】
第一下台状部２１には、第一接続線４を巻回するための巻取手段１１が内装されている。
巻取手段１１の概略構成を説明すると、これは、ゼンマイ式バネを有し、該ゼンマイ式バネを回転リールが外装しており、該回転リールに第一接続線４が巻回されるものである。また、スピーカ装置１の使用者が、スピーカ装置１を使用する環境に応じて第一接続線４を所望な長さだけ引出して止めると、その引出し量でロック機構が働いて引出された長さを保持でき、第一接続線４を巻取るには、さらに引出すようにした後にすぐに第一接続線４を戻すようにすると容易にロック機構が解除されて第一接続線４が巻取られるよう構成されている。
このようなゼンマイ式バネは、そのバネ径が第一下台状部２１内で水平面内において拡径・縮径するよう配置されており、また、巻取手段１１は、その重心ができるだけ低い位置になるように第一下台状部２１に内装されている。
なお、第一下台状部２１は、巻取手段１１が内装されて前記回転リールが円滑に回転できる高さを有すれば充分である。
【００２７】
第一下台状部２１の後板２６の背面２６ａの下端部には、取付手段５としての第一係合突起４０が設けられている。第一係合突起４０は該背面２６ａから後方へ突出するように形成されており、背面視して横長の楕円形状に形成されている。
第一柱状部２３と第一前壁部材１２とを組付けてなお露出している第一前壁部材１２の上部に、左右方向における中心に取付手段５としての第一係合凹部４１が形成されている。第一係合凹部４１は、背面視（正面視）して横長の楕円形状に形成され、第一係合凹部４１は、第一前壁部材１２を前後に貫通する孔として構成されている。
第一係合凹部４１の上方に対向する部位における第一前壁部材１２の上端面には、取付手段５として下方に凹となる凹部４５が形成されている。この凹部４５によって、袴部材１９を第一前壁部材１２の上端面に装着した際に、袴部材１９と第一前壁部材１２の上端面との間に隙間が形成されることになる。
【００２８】
第一接続線４用の第一収容凹部８０が、第一スピーカ体２に設けられている。第一収容凹部８０は、第一スピーカ体２および第二スピーカ体３を組付けた際に、巻取手段１１に巻取られていない第一接続線４の一部を収容する部分である。
ここで第一収容凹部８０を詳述すると、第一収容凹部８０は溝状に形成されており、第一下台状部２１の後板２６の背面２６ａに形成された後板凹部８０ａ、第一下台状部２１の天板２２の上面２２ａに形成された天板凹部８０ｂ、第一柱状部２３の第一立上壁３３の背面３３ａに形成された立上壁凹部８０ｃ、第一柱状部２３の天壁３４の上面３４ｂに形成された天壁凹部８０ｄから連続して形成されている。
第一収容凹部８０は、その下部は第一導通孔６を含む領域にあって、上部は第一柱状部２３の天壁３４の上面３４ｂの先端部分まで連続しており、第一下台状部２１の後板２６の背面２６ａ、第一下台状部２１の天板２２の上面２２ａ、第一柱状部２３の第一立上壁３３の背面３３ａ、第一柱状部２３の天壁３４の上面３４ｂに沿う長さ方向ＢＨ（図２参照）に、第一接続線４の径よりわずかに大きい同一深さで形成されている。また、後板凹部８０ａ、天板凹部８０ｂ、立上壁凹部８０ｃ、天壁凹部８０ｄに至るに従い、わずかずつ左右幅が狭くなっている。
さらに、第一収容凹部８０は、背面視して第一柱状部２３の左右方向途中（中心位置）に配置されることで、第一スピーカ体２および第二スピーカ体３どうしを組付けた際に、第一接続線４を結ぶ線上に設けられた構成となっている。
なお、第一係合突起４０および第一係合凹部４１も第一スピーカ体２の左右方向途中（中心位置）に配置されている。
【００２９】
次に、第二スピーカ体３の構成を詳述する。第二スピーカ体３は、第二筐体５０および第二筐体５０内の第二放音部５１を有して、側面視Ｌ字形に形成されている。
第二筐体５０は、前記第二前壁部材２８と、第二後壁部材５３とを有して、第二前壁部材２８の後方開放部に対して第二後壁部材５３の底高さを合わせた状態でこれを嵌込むように組付けることで、第二前壁部材２８および第二後壁部材５３が一体化されている。
【００３０】
第二前壁部材２８は、平面視して後方開放のＵ字形の壁状に形成されており、所定の上下高さを有する。第二前壁部材２８の上下方向の途中の左右方向中心部に、第二放音部５１の放音面部５４を取付ける第二開口部５５が形成されている（図１５，図１６参照）。第二前壁部材２８はその裏面の適宜箇所に、後方に向けて突出するビス受片５６が、上下・左右に四箇所形成されている。
第二前壁部材２８の上下部は開放されており、上端面・下端面にはそれぞれ帯状の袴部材５７が重ねられるようにして装着されており、各袴部材５７には、上下に突出する第二支持片５８，５９が、左右方向に離間して形成されている。第二支持片５８，５９は、各袴部材５７の湾曲形状のコーナー部分に、その湾曲形状に沿うようにして形成されている。すなわち、第二支持片５８，５９は、各袴部材５７の前部から側部に亙るように湾曲して設けられている。
【００３１】
第二前壁部材２８のさらに前側には、第二装飾用覆壁６０が設けられている。この第二装飾用覆壁６０は、第二開口部５５を覆って装飾性を向上させるとともに、第二開口部５５から露出する第二放音部５１の放音面部５４を覆うようにして保護する機能を有している。
なお、第二装飾用覆壁６０は、第二前壁部材２８の前側のみならず、側部においても第二前壁部材２８をその外方で覆うよう、第二前壁部材２８に一体的に設けられている。
【００３２】
第二後壁部材５３は、乾電池９０を水平となるよう挿入して装着する部分である第二下台状部６１と、第二下台状部６１の天板６２前部から上方に延長されるよう第二下台状部６１に設けられた第二柱状部６３とから一体的に形成されている。
第二下台状部６１は、前記天板６２と、両側板６４，６５と、後板６６と底板６７とを有して、全体として扁平な中抜き角柱状に形成されて、例えば複数本の乾電池９０を同一平面内で内装するよう構成されている。底板６７の一部は切欠かれていて、該切欠部分にこれを開放する蓋部材６７ａが着脱自在に設けられており、乾電池９０の挿抜は蓋部材６７ａを着脱することで行うことができる。
【００３３】
天板６２、側板６４，６５、後板６６、および底板６７はそれぞれ平面に形成されており、側板６４，６５と後板６６との連続部分は、平面視して曲面となるよう連続されている。第二下台状部６１の前後長さＬ３は、第二前壁部材２８の前後長さＬ４の倍以上の所定長さに設定されている。
側板６４，６５それぞれの下部には、第二前壁部材２８の後端面２８ａと接触するように、隙間８４を確保するために所定の前後方向の長さを有する突片８３が側方に突出するように形成されている。
第二下台状部６１の後板６６の背面６６ａ側に前記第二導通孔７が形成されている。さらに具体的には、第二下台状部６１の後板６６の背面６６ａと天板６２との境界部分に凹部９１が形成されており、第二導通孔７は凹部９１内の領域で第二下台状部６１の後板６６の背面６６ａに形成され、第二スピーカ体３側の第一接続線４の端部は、第二導通孔７から外部へ導出されている。なお、第二導通孔７は、第二下台状部６１の左右方向中心部分に配置されている。
【００３４】
第二柱状部６３は、第二下台状部６１の天板６２前部から上方に延長される第二立上壁７０と、第二立上壁７０の上端部に設けられた天壁７１と、第二立上壁７０の両側部に設けられた両側壁７２，７２とを有している。一方の側壁７２に、前記電源操作片３０および音量ダイヤル３１が上下に配置して設けられている。電源操作片３０および音量ダイヤル３１は、その一部が前記隙間８４に露出するよう設けられている。
第二立上壁７０の背面において、前記ビス受片５６に後方に対向する位置に、ビス３６を挿入するビス孔７３が形成されている。
第二前壁部材２８の後方開放部に対して第二後壁部材５３の底高さを合わせた状態で嵌込むように組付け、ビス孔７３にビス３６を挿入してビス受片５６にビス３６を螺合することで、第二前壁部材２８と第二後壁部材５３とを一体化することができる。
【００３５】
第一スピーカ体２においては、第一前壁部材１２と第一後壁部材１３とは、第一立上壁３３の背面３３ａと、第一前壁部材１２の後端面１２ａとが面一となるよう組付けられるが、第二スピーカ体３においては、第二前壁部材２８と第二後壁部材５３とは、第二立上壁７０の背面７０ａと、第二前壁部材２８の後端面２８ａとは面一とはなっておらず、第二立上壁７０の背面７０ａは隙間８４に相当する前後長さだけ第二前壁部材２８の後端面２８ａから後方へ突出して組付けられる。
第二前壁部材２８と第二後壁部材５３とを組付けた状態では、第二立上壁７０は第二前壁部材２８の上端面に至らない高さに設定されており、また、天壁７１はその前端面７１ａが第二前壁部材２８の裏面（後面）に当接するよう、第二立上壁７０の前方に向けて折曲して一体に形成されている。
第二前壁部材２８と第二後壁部材５３とは、第二柱状部６３の両側壁７２，７２が第二前壁部材２８の内側面に対して前後に摺動させて挟持させるようにして組付けられる。
【００３６】
第二立上壁７０は、第二後壁部材５３が第二前壁部材２８に組付けられた状態において第二前壁部材２８の上端面に至らない高さに設定されている。したがって、第二前壁部材２８と第二後壁部材５３とを一体化することで第二立上壁７０の上部の後方は開放されたままになっており、第二前壁部材２８の上部の背面部分は露出して、該背面の後部は第一下台状部２１の一部が挿入される挿入部２８Ａとされる。
【００３７】
第二下台状部６１の後板６６の背面６６ａの下端部には、取付手段５としての第二係合突起７５が設けられている。第二係合突起７５は背面６６ａから後方へ突出するように形成されており、背面視して横長の楕円形状に形成されている。
第二柱状部６３と第二前壁部材２８とを組付けてなお露出している第二前壁部材２８の上部に、左右方向における中心に取付手段５としての第二係合凹部７６が形成されている。第二係合凹部７６は、背面視（正面視）して横長の楕円形状に形成され、第二係合凹部７６は、第二前壁部材２８を前後に貫通する孔として構成されている。
第二係合凹部７６の上方に対向する部位における第二前壁部材２８の上端面には、取付手段５として下方に凹となる凹部７７が形成されている。この凹部７７によって、袴部材５７を第二前壁部材２８の上端面に装着した際に、袴部材５７と第二前壁部材２８の上端面との間に隙間が形成されることになる。
【００３８】
第一接続線４とは別の第二接続線９５を収容するための第二収容凹部８７が、第二スピーカ体３に設けられている。第二接続線９５には、その端部にＵＳＢ差込部９６を接続させており、したがってこの場合、第二接続線９５はＵＳＢ用コードであり、これは第二放音部５１に接続されているが、第一接続線４のように巻取られるものではなく、第二収容凹部８７の領域内に形成されている不図示の導出孔から導出されて、導出部分の長さは一定である。
【００３９】
第二収容凹部８７は、第二立上壁７０の背面７０ａに前方へ向けて凹となるよう、第二立上壁７０の背面７０ａの高さ方向全域に亙って形成されている。さらに具体的に、第二収容凹部８７は、背面視して縦長の略矩形に形成されており、その下端部は第二立上壁７０の背面７０ａの下端部に位置し、その上端部は第二立上壁７０の天壁７１にあって、天壁７１の後部を前方に向かう凹所として、第二収容凹部８７は上方に開放された開放部９７とされている。
第二収容凹部８７の下部は上部に比べて背面視して左右の幅をやや広く設定されており（図４参照）、下部がＵＳＢ差込部９６を収容可能な領域として、上部が第二接続線９５を収納可能な領域として構成される。すなわち、第二収容凹部８７の下部には、ＵＳＢ差込部９６を左右で押えて保持するよう、第二収容凹部８７の上下方向の底壁８８から後方に向けて一体的に突出する支持部材としての立上壁８９が設けられている。この立上壁８９は、第二収容凹部８７の左右方向中心に対してその一方の内壁面８７ａ側寄りに配置されている。
これによって、立上壁８９と一方の内壁面８７ａとの間に、第二接続線９５の途中部分を収容する縦長の収容凹部９９が形成される。
ＵＳＢ差込部９６は、立上壁８９と立上壁８９に左右方向で対向する他方の内壁面８７ｂとの間に挟持するようにして第二収容凹部８７の下部に保持される構成となっている。
第二収容凹部８７の上部に、第二接続線９５を略垂直面内で巻回するための巻回部１００が設けられている。巻回部１００は巻回部材１０１とズレ止部材１０２とから構成されている。巻回部材１０１は柱状の部材を上下に離間して一対設けることで構成しており、ズレ止部材１０２は巻回部材１０１の後端に垂直面内に配置されて巻回部材１０１に比べて上下左右方向に広い矩形の板状に形成されている。ズレ止部材１０２の背面１０２ａ（平面）は、第二立上壁７０の背面７０ａと略面一となっている。
【００４０】
巻回部材１０１とズレ止部材１０２とは一体的に形成されており、巻回部材１０１は第二収容凹部８７の底壁８８に裏面からビス１０３を螺合することで底壁８８に着脱自在に固定されている。ズレ止部材１０２と左右の内壁面８７ａ，８７ｂとの間には第二接続線９５の巻回部材１０１への巻回作業を可能とするために隙間１０５が設けられている。
第二収容凹部８７の下部側方で、第二立上壁７０の、第二前壁部材２８の後端面２８ａから後方へ突出した部分に、第一スピーカ体２および第二スピーカ体３を組付けた状態で第二接続線９５をスピーカ装置１の外部へ導出することのできる導出用凹部１０４が形成されている。この導出用凹部１０４は、第二立上壁７０の背面７０ａから前方へ向けて凹となるよう形成されており、その径は第二接続線９５の径に比べてわずかに大きく設定されており、第二収容凹部８７に連続するよう設けられている。
【００４１】
第一スピーカ体２と第二スピーカ体３とは、全体として略同一の左右幅、前後幅および上下方向高さに設定され、第一前壁部材１２と第二前壁部材２８とは略同一の左右幅、前後幅および上下方向高さに設定されている。
第一後壁部材１３と第二後壁部材５３とは全体として略同一の左右幅、前後幅および上下方向高さに設定されているが、第一柱状部２３と第二柱状部６３とは第一柱状部２３に比べて第二柱状部６３の前後幅が隙間８４の前後幅分だけ大きく設定されており、したがって隙間８４の前後幅分だけ第二下台状部６１の天板６２の前後幅は第一下台状部２１の天板２２の前後幅に比べて小さく設定されている。
【００４２】
上記構成のスピーカ装置１において、第一スピーカ体２、第二スピーカ体３を分離して使用する場合では、例えば第一スピーカ体２および第二スピーカ体３をパーソナルコンピュータのディスプレイの両サイドに配置し、ＵＳＢ差込部９６をパーソナルコンピュータの本体のＵＳＢ差込口に差込むことで使用することができる。
【００４３】
第一スピーカ体２は、底面視して矩形で角柱状の第一下台状部２１を有して、この第一下台状部２１の天板２２前部から上方に延長される第一柱状部２３を有しているから、机上等の載置面に第一下台状部２１が下になるようにして載置した場合に、安定し易い形状となっている。
換言すれば、第一前壁部材１２、第一柱状部２３、第一下台状部２１の順に、上部に比べて下部ほど大きな平面（あるいは底面）となる形状としているから、第一筐体８が全体として安定し易い形状となっている。加えて、第一放音部１０が高さ方向途中に配置されていたとしても、第一下台状部２１には巻取手段１１が内装されていることで、載置面に載置した際に、その分だけ第一スピーカ体２全体の重心が下方寄りにあって安定している。
また、袴部材１９には、上下に突出する第一支持片１８が、左右方向に離間して形成されているから、載置面に第一下台状部２１が下になるようにして載置すると、第一スピーカ体２の前側は第一支持片１７，１８の高さ分だけ載置面から浮き、その分だけ重心が後方へ移動することになる。
【００４４】
第二スピーカ体３は底面視して矩形で角柱状の第二下台状部６１を有して、この第二下台状部６１の天板６２前部から上方に延長される第二柱状部６３を有しているから、机上等の載置面に第二下台状部６１が下になるようにして載置した場合に、安定し易い形状となっている。
換言すれば、第二前壁部材２８、第二柱状部６３、第二下台状部６１の順に、上部に比べて下部ほど大きな平面（あるいは底面）となる形状としているから、第二筐体５０が全体として安定し易い形状となっている。加えて、第二放音部５１が高さ方向途中に配置されていたとしても、第二下台状部６１には乾電池９０（好ましくは複数本）が水平面内に配置するよう内装されていることで、載置面に載置した際に、その分だけ第二スピーカ体３全体の重心が下方寄りにあって安定している。
また、袴部材５７には、上下に突出する第二支持片５９が、左右方向に離間して形成されているから、載置面に第二下台状部６１が下になるようにして載置すると、第二スピーカ体３の前側は第二支持片５９の高さ分だけ載置面から浮き、その分だけ重心が後方へ移動することになる。
【００４５】
図１〜図４では便宜上、第一接続線４を途中まで引出した態様で示しているが、例えば第一スピーカ体２および第二スピーカ体３をパーソナルコンピュータのディスプレイのサイズに合わせてその両サイドに配置する場合には、使用者が巻取手段１１の弾性付勢に抗して第一スピーカ体２および第二スピーカ体３を相対的に離すようにすることにより、第一接続線４はさらに第一導通孔６から引出されるから、使用する状況に応じて第一スピーカ体２および第二スピーカ体３の配置間隔を調節することができる。
【００４６】
また、スピーカ装置１は、前述したように、取付手段５によって第一スピーカ体２および第二スピーカ体３を天地逆に組付けて一体物として使用することができる。
すなわち、上記のように第一スピーカ体２および第二スピーカ体３を離した状態から、第一スピーカ体２および第二スピーカ体３を、相対的に天地逆さにして第一スピーカ体２および第二スピーカ体３の背面側どうしを、取付手段５を用いて組付ける。
【００４７】
図８では第二スピーカ体３に対して第一スピーカ体２を逆さにして組付ける状態を示している。第一スピーカ体２を逆さにするということは、第一スピーカ体２において第一下台状部２１を上で、第一柱状部２３を下にした状態である。
このようにして、第一スピーカ体２および第二スピーカ体３を相対的に天地逆さにして、第一スピーカ体２の第一係合突起４０と第二スピーカ体３の第二係合凹部７６とを嵌合するとともに、第一スピーカ体２の第一係合凹部４１と第二スピーカ体３の第二係合突起７５とを嵌合するようにする。
【００４８】
そうすると、第一スピーカ体２と第二スピーカ体３とは、全体として略同一の左右幅、前後幅および上下方向高さに設定され、第一前壁部材１２と第二前壁部材２８とは略同一の左右幅、前後幅および上下方向高さに設定され、第一後壁部材１３と第二後壁部材５３とは全体として略同一の左右幅、前後幅および上下方向高さに設定されているが、第一柱状部２３と第二柱状部６３とは第一柱状部２３に比べて第二柱状部６３の前後幅が隙間８４の前後幅分だけ大きく設定されており、隙間８４の前後幅分だけ第二下台状部６１の天板６２の前後幅は第一下台状部２１の天板２２の前後幅に比べて小さく設定されているから、第一スピーカ体２の挿入部１２Ａに第二下台状部６１の前部が挿入され、第二スピーカ体３の挿入部２８Ａに第一スピーカ体２の第一下台状部２１の前部が挿入されて、第一柱状部２３の天壁７１の上面７１ｂと第二下台状部６１の天板６２の上面６２ａとが上下方向で対向してほぼ接触し、第一下台状部２１の天板２２の上面２２ａと第二柱状部６３の天壁３４の上面３４ｂとが上下方向で対向してほぼ接触し、第一柱状部２３の第一立上壁３３の背面３３ａと、第二柱状部６３の第二立上壁７０の背面７０ａとが前後方向で対向してほぼ接触する。
また、第一前壁部材１２の後端面１２ａと第二前壁部材２８の後端面２８ａとが隙間８４を形成するようにして（突片８２，８３を介して）前後方向で対向する。
【００４９】
第一スピーカ体２および第二スピーカ体３を相対的に天地逆さにして、第一スピーカ体２の第一係合突起４０と第二スピーカ体３の第二係合凹部７６とを嵌合するとともに、第一スピーカ体２の第一係合凹部４１と第二スピーカ体３の第二係合突起７５とを嵌合するようにするとき、第一接続線４は巻取手段１１の弾性付勢によって巻取られることで、第一スピーカ体２および第二スピーカ体３を組合せた状態においてその導出量が最小となり、第一収容凹部８０は第一接続線４を結ぶ線上に溝状にあって、第一接続線４は第一スピーカ体２と第二スピーカ体３の背面側に挟まれるようにして、第一収容凹部８０の長さ方向ＢＨに沿うよう折れ曲がった状態として収納される。
【００５０】
また、ＵＳＢ差込部９６についてはこれを使用しないのであれば立上壁８９と第二収容凹部８７の内壁面８７ｂとの間に嵌合させるようにして保持させ、第二接続線９５については巻回部材１０１に巻回しておく（図１６参照）ことで、何れも第二収容凹部８７に確実に収納することができる。
このとき、第二収容凹部８７に板状のズレ止部材１０２があっても、ズレ止部材１０２とＵＳＢ差込部９６との間には空間を確保するようにして、しかもズレ止部材１０２の側面と内壁面８７ａ，８７ｂとの間には隙間１０５があって天壁７１には開放部９７を形成してあるから、前記空間、隙間１０５、および開放部９７を利用することで、第二接続線９５を無理なく巻回部材１０１に巻回することができる。
また、ズレ止部材１０２の裏面１０２ｂの外周部分を円弧形状に形成していることから、第二接続線９５は該円弧状部分に案内されて巻回部材１０１側に案内され易くいっそう無理なく第二接続線９５を巻回部材１０１に巻回することができる。
【００５１】
そして、第一柱状部２３の天壁７１の上面７１ｂと第二下台状部６１の天板６２の上面６２ａとが上下方向で対向してほぼ接触し、第一下台状部２１の天板２２の上面２２ａと第二柱状部６３の天壁３４の上面３４ｂとが上下方向で対向してほぼ接触し、第一柱状部２３の第一立上壁３３の背面３３ａと第二柱状部６３の第二立上壁７０の背面７０ａとが前後方向で対向してほぼ接触することにより、第一収容凹部８０はその外側を前記対向してほぼ接触した面によって囲まれるから、第一接続線４がスピーカ装置１の外部へ飛び出ることがない。
同様に、第二接続線９５も第二収容凹部８７の外側の領域は、対向してほぼ接触した面によって囲まれるからスピーカ装置１の外部へ飛び出ることがない。
【００５２】
さらに、第一導通孔６および第二導通孔７はそれぞれ第一収容凹部８０内領域、凹部９１内領域にあるから、第一収容凹部８０の長さ方向ＢＨに沿う形状に折れ曲がったとしても、前記対向してほぼ接触した面によって挟持される（潰される）ことがなく、したがって第一接続線４の、第一導通孔６および第二導通孔７から導出された、比較的大きな角度でしかも比較的頻繁に折曲げが繰返される端部であってもこれを保護することができる。
【００５３】
ところで、ＵＳＢ差込部９６および第二接続線９５を第二収容凹部８７に収容し、上記のように第一スピーカ体２および第二スピーカ体３を組付けた状態では、第一接続線４および第二接続線９５がスピーカ装置１の外部へ露出していないから、第一接続線４および第二接続線９５が邪魔になることもない。したがって、スピーカ装置１の持ち運び等に有用である。
【００５４】
第一スピーカ体２および第二スピーカ体３を組付けた状態でスピーカ装置１を使用することもできる。この場合は、ＵＳＢ差込部９６および第二接続線９５を第二収容凹部８７に収容せず、第二接続線９５の途中部分を導出用凹部１０４に収納するようにして第一スピーカ体２および第二スピーカ体３を組付ける。このようにすることにより、組付けた第一スピーカ体２および第二スピーカ体３の外部に、第二接続線９５およびＵＳＢ差込部９６が導出されるから、ＵＳＢ差込部９６をＵＳＢ差込口に差込むことができ、例えば第一スピーカ体２および第二スピーカ体３を分離させて設置するようなスペースを確保するのがむずかしい場合等に有用である。
【００５５】
さらに、スピーカ装置１は、第一スピーカ体２および第二スピーカ体３を組付けた状態でスピーカ装置１を天地逆さにして、第一スピーカ体２および第二スピーカ体３何れの下台状部を下にして載置面に載置してもよい。第一スピーカ体２および第二スピーカ体３を組付けた状態では、スピーカ装置１は直方体形状になってその上面、下面の何れにも支持片があり、安定して載置面に載置することができる。
【００５６】
第一スピーカ体２と第二スピーカ体３との着脱を繰返すと、取付手段５に疲労が生じるように負荷が働く。
取付手段５は凹部（孔）と突起の嵌脱によって構成されるものであるが、第一前壁部材１２の上端面には、取付手段５として下方に凹となる凹部４５が形成されて、その直上部分は凹部４５を形成している分だけ上下方向の高さが小さく、撓み易くなっている。また、第二下台状部６１の後板６６の背面６６ａと天板６２との境界部分に凹部９１が形成されて、その直上部分は凹部９１を形成している分だけ上下方向の高さが小さく、撓み易くなっている。
したがって、取付手段５としての凹部と突起の嵌脱の際に、凹部４５，９１の直上部分がそれぞれ凹部と突起との嵌合力に対して撓むことでこれを吸収するようになるから、取付手段５の疲労破壊を防止することができ、その分だけ寿命を延長させることができる。
なお、第二接続線９５に接続してあるものは、ＵＳＢ差込部９６に限らず、イヤホンジャック等の接続機器であってもよい。そして使用する接続機器の形状や大きさに応じて支持部材としての立上壁８９の形状や位置も変更することが可能である。
【００５７】
さらに、上記実施形態では、第二下台状部６１の後板６６の背面６６ａと天板６２との境界部分で第二下台状部６１の左右方向中心部分に凹部９１を形成して、第二スピーカ体３側の第一接続線４を凹部９１領域に形成した第二導通孔７から導出するように構成した。
しかしながら本発明の実施形態はこれに限定されるものではない。第二スピーカ体３側の第一接続線４の第二導通孔７を形成するのに、凹部９１を設けてその領域内に配置することは、第一スピーカ体２および第二スピーカ体３を組付けた際に折れる第一接続線４の保護といった観点から特に有用であるが、第一スピーカ体２および第二スピーカ体３を組付けた際には第一接続線４は第一収容凹部８０に入るから、凹部９１を設けなくとも、第一接続線４の保護は可能である。
さらに、第二スピーカ体３側の第一接続線４の第二導通孔７を設ける位置は、第一収容凹部８０に対応する領域、すなわちこの場合は第二スピーカ体３の左右方向中心で、できるだけ第二下台状部６１側（第二スピーカ体３の下部側）にあれば、特に限定されるものではない。例えば、第二下台状部６１の天板６２と第二立上壁７０の側壁７２の境界部分等であってもよい。この場合では、第一収容凹部８０のうち第一下台状部２１の天板２２の上面２２ａに形成した天板凹部８０ｂを省略することができる。要は、第二導通孔７から導出される第一接続線４を極端な折れ曲がりから保護するという目的を達成できれば、第一収容凹部８０を設ける領域は上記実施形態に限定されるものではなく、第二導通孔７を設ける場所によって適宜変更させることが好ましい。
なお、第二スピーカ体３側の第一接続線４の端部が第二下台状部６１側にあれば、巻取手段１１の巻取力（巻取る方向への付勢力）が第二スピーカ体３の上部に働くことがないから、第二スピーカ体３を設置した際に安定させることができる。
【００５８】
第一収容凹部８０は、第一スピーカ体２の左右方向中心に配置したが、これに限定されるものではなく、第一収容凹部８０は、第一スピーカ体２と第二スピーカ体３とを組付けた際に、第一導通孔６と第二導通孔７とを結ぶ線上に溝状に設けられていれば、第一下台状部２１の後板２６の背面２６ａ、第一下台状部２１の天板２２の上面２２ａ、第一柱状部２３の第一立上壁３３の背面３３ａ、第一柱状部２３の天壁３４の上面３４ｂに沿う長さ方向ＢＨでなくても、長さ方向ＢＨに対して傾斜して形成させてもよい。
【図面の簡単な説明】
【００５９】
【図１】本発明の実施形態を示すスピーカ装置の、一方のスピーカ体および他方のスピーカ体を分離させた状態での前上方からの斜視図
【図２】同じく後上方からの斜視図
【図３】同じく正面図
【図４】同じく背面図
【図５】同じく平面図
【図６】同じく底面図
【図７】同じく右側面図
【図８】同じくスピーカ体どうしを組付ける途中を示す図で、第二スピーカ体については左側面図を示す
【図９】同じくスピーカ体どうしを組付けた状態の前上方からの斜視図
【図１０】同じく正面図
【図１１】同じく右側面図
【図１２】同じく左側面図
【図１３】同じく平面図
【図１４】同じく底面図
【図１５】同じく図１０のＡ−Ａ線断面図
【図１６】同じく図１０のＢ−Ｂ線断面図
【符号の説明】
【００６０】
１…スピーカ装置、２…第一スピーカ体、３…第二スピーカ体、４…第一接続線、５…取付手段、６…第一導通孔、７…第二導通孔、８…第一筐体、１０…第一放音部、１１…巻取手段、１２…第一前壁部材、１２Ａ…挿入部、１２ａ…後端面、１３…第一後壁部材、１４…放音面部、１５…第一開口部、１６…ビス受片、１７，１８…第一支持片、１９…袴部材、２０…第一装飾用覆壁、２１…第一下台状部、２２…天板、２２ａ…上面、２３…第一柱状部、２４，２５…側板、２６…後板、２６ａ…背面、２７…底板、２８…第二前壁部材、２８Ａ…挿入部、２８ａ…後端面、３０…電源操作片、３１…音量ダイヤル、３３…第一立上壁、３３ａ…背面、３４…天壁、３４ａ…前端面、３４ｂ…上面、３５…側壁、４０…第一係合突起、４１…第一係合凹部、４５，９１…凹部、５０…第二筐体、５１…第二放音部、５３…第二後壁部材、５４…放音面部、５５…第二開口部、５７…袴部材、５８，５９…第二支持片、６０…第二装飾用覆壁、６１…第二下台状部、６２…天板、６２ａ…上面、６３…第二柱状部、６４，６５…側板、６６…後板、６６ａ…背面、６７…底板、６７ａ…蓋部材、７０…第二立上壁、７０ａ…背面、７１…天壁、７１ａ…前端面、７１ｂ…上面、７２…側壁、７５…第二係合突起、７６…第二係合凹部、７７…凹部、８０…第一収容凹部、８０ａ…後板凹部、８０ｂ…天板凹部、８０ｃ…立上壁凹部、８０ｄ…天壁凹部、８２，８３…突片、８４…隙間、８７…第二収容凹部、８７ａ，８７ｂ…内壁面、８８…底壁、８９…立上壁、９０…乾電池、９１…凹部、９５…第二接続線、９６…差込部、９７…開放部、９９…収容凹部、１００…巻回部、１０１…巻回部材、１０２…ズレ止部材、１０２ａ…背面、１０２ｂ…裏面、１０４…導出用凹部、１０５…隙間、ＢＨ…長さ方向
【図１】
0004510111.tif 000002
【図２】
0004510111.tif 000003
【図３】
0004510111.tif 000004
【図４】
0004510111.tif 000005
【図５】
0004510111.tif 000006
【図６】
0004510111.tif 000007
【図７】
0004510111.tif 000008
【図８】
0004510111.tif 000009
【図９】
0004510111.tif 000010
【図１０】
0004510111.tif 000011
【図１１】
0004510111.tif 000012
【図１２】
0004510111.tif 000013
【図１３】
0004510111.tif 000014
【図１４】
0004510111.tif 000015
【図１５】
0004510111.tif 000016
【図１６】
0004510111.tif 000017